【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のコンポーネントキャリア（ＣＣ）と第２のＣＣとを備えるキャリアアグリゲーション（ＣＡ）構成を示すシグナリングを受信すること、ここにおいて、前記第１のＣＣは、プライマリキャリアを備え、前記第２のＣＣは、セカンダリキャリアを備え、前記セカンダリキャリアは、無認可周波数帯域幅を利用し、前記無認可周波数帯域幅は、チャネル利用可能性を決定するためにクリアチャネルアセスメントを利用するように構成される、と、
前記第２のＣＣ上の前記チャネル利用可能性を示す制御信号を前記第１のＣＣ上で受信することと
を備える、方法。
【請求項２】
前記受信された制御信号に応答して前記第２のＣＣをモニタすることをさらに備える、
請求項１に記載の方法。
【請求項３】
前記モニタすることに少なくとも部分的に基づいてモニタリングタイマーを始動することをさらに備える、
請求項２に記載の方法。
【請求項４】
前記第２のＣＣ上でプリアンブル送信を受信することと、
前記受信されたプリアンブル送信に応答して前記モニタリングタイマーを再始動することと
をさらに備える、請求項３に記載の方法。
【請求項５】
プリアンブル送信が前記第２のＣＣ上で受信される前に前記モニタリングタイマーが満了したと決定することと、
前記第２のＣＣを前記モニタすることを終了することと
をさらに備える、請求項３に記載の方法。
【請求項６】
前記第２のＣＣ上の物理ダウンリンク制御チャネル（ＰＤＣＣＨ）メッセージまたは物理ダウンリンク共有チャネル（ＰＤＳＣＨ）メッセージを受信することをさらに備え、前記ＰＤＣＣＨメッセージまたはＰＤＳＣＨメッセージは、前記第２のＣＣのリソースをスケジュールする、
請求項２に記載の方法。
【請求項７】
前記第１のＣＣ上の物理ダウンリンク制御チャネル（ＰＤＣＣＨ）メッセージを受信することをさらに備え、前記ＰＤＣＣＨメッセージは、前記第２のＣＣのリソースをスケジュールする、
請求項１に記載の方法。
【請求項８】
前記第１のＣＣの送信時間間隔（ＴＴＩ）の持続時間は、前記第２のＣＣのＴＴＩの持続時間とは異なり、前記ＰＤＣＣＨメッセージは、前記第１のＣＣのＴＴＩ内で送信され、前記第１のＣＣの前記ＴＴＩまたは後続のＴＴＩと時間的に少なくとも部分的に重複する前記第２のＣＣのＴＴＩを割り当てる、
請求項７に記載の方法。
【請求項９】
前記第２のＣＣが前記ＴＴＩと時間的に少なくとも部分的に重複するとき、前記方法は、
前記制御信号を受信した後に第１の確定的時間において開始する前記ＰＤＣＣＨメッセージに対する前記第１のＣＣをモニタすることと、
前記制御信号を受信した後に第２の確定的時間において開始する前記第２のＣＣをモニタすることと
をさらに備え、
前記第１の確定的時間は、前記第１のＣＣのいくつかのＴＴＩを備え、前記第２の確定的時間は、前記第２のＣＣのいくつかのＴＴＩを備える、
請求項８に記載の方法。
【請求項１０】
前記第２のＣＣが前記後続のＴＴＩと時間的に少なくとも部分的に重複するとき、前記方法は、
前記制御信号を受信した後に第１の確定的時間において開始する前記ＰＤＣＣＨメッセージについて前記第１のＣＣをモニタすることと、
前記ＰＤＣＣＨメッセージを受信したことに応答してデータチャネルについて前記第２のＣＣをモニタすることと
をさらに備える、請求項８に記載の方法。
【請求項１１】
前記制御信号は、物理チャネルを備える、
請求項１に記載の方法。
【請求項１２】
前記制御信号は、前記第１のＣＣの前記帯域幅のサブバンドを備える、
請求項１１に記載の方法。
【請求項１３】
前記物理チャネルは、前記制御信号を受信すると前記第２のＣＣをモニタするように構成されたユーザ機器（ＵＥ）に対する物理ダウンリンク制御チャネル（ＰＤＣＣＨ）フォーマットを備える、
請求項１１に記載の方法。
【請求項１４】
前記プライマリキャリアは、プライマリコンポーネントキャリア（ＰＣＣ）を備え、前記セカンダリキャリアは、拡張コンポーネントキャリア（ｅＣＣ）を備える、
請求項１に記載の方法。
【請求項１５】
ワイヤレス通信のための装置であって、
第１のコンポーネントキャリア（ＣＣ）と第２のＣＣとを備えるキャリアアグリゲーション（ＣＡ）構成を示すシグナリングを受信するための手段、ここにおいて、前記第１のＣＣは、プライマリキャリアを備え、前記第２のＣＣは、セカンダリキャリアを備え、前記セカンダリキャリアは、無認可周波数帯域幅を利用し、前記無認可周波数帯域幅は、チャネル利用可能性を決定するためにクリアチャネルアセスメントを利用するように構成される、と、
前記第２のＣＣ上の前記チャネル利用可能性を示す制御信号を前記第１のＣＣ上で受信するための手段と
を備える、装置。
【請求項１６】
ワイヤレス通信のためのコードを記憶するコンピュータ可読媒体であって、前記コードは、請求項１乃至１４のいずれか１項に記載の方法を実行することを行うように実行可能な命令を備える、コンピュータ可読媒体。
【手続補正２】
【補正対象書類名】明細書
【補正対象項目名】０１４８
【補正方法】変更
【補正の内容】
【０１４８】
[0158]本明細書の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
ワイヤレス通信の方法であって、
第１のコンポーネントキャリア（ＣＣ）と第２のＣＣとを備えるキャリアアグリゲーション（ＣＡ）構成を示すシグナリングを受信すること、ここにおいて、前記第１のＣＣは、プライマリキャリアを備え、前記第２のＣＣは、セカンダリキャリアを備える、と、
前記第２のＣＣ上のチャネル利用可能性を示す制御信号を前記第１のＣＣ上で受信することと
を備える、方法。
［Ｃ２］
前記プライマリキャリアは、認可周波数帯域幅を利用し、前記セカンダリキャリアは、無認可周波数帯域幅を利用する、
［Ｃ１］に記載の方法。
［Ｃ３］
前記プライマリキャリアは、無認可周波数帯域幅を利用し、前記セカンダリキャリアは、別の無認可周波数帯域幅を利用する、
［Ｃ１］に記載の方法。
［Ｃ４］
前記受信された制御信号に応答して前記第２のＣＣをモニタすることをさらに備える、
［Ｃ１］に記載の方法。
［Ｃ５］
前記モニタすることに少なくとも部分的に基づいてモニタリングタイマーを始動することをさらに備える、
［Ｃ４］に記載の方法。
［Ｃ６］
前記第２のＣＣ上でプリアンブル送信を受信することと、
前記受信されたプリアンブル送信に応答して前記モニタリングタイマーを再始動することと
をさらに備える、［Ｃ５］に記載の方法。
［Ｃ７］
プリアンブル送信が前記第２のＣＣ上で受信される前に前記モニタリングタイマーが満了したと決定することと、
前記第２のＣＣを前記モニタすることを終了することと
をさらに備える、［Ｃ５］に記載の方法。
［Ｃ８］
前記第２のＣＣ上の物理ダウンリンク制御チャネル（ＰＤＣＣＨ）メッセージまたは物理ダウンリンク共有チャネル（ＰＤＳＣＨ）メッセージを受信することをさらに備え、前記ＰＤＣＣＨメッセージまたはＰＤＳＣＨメッセージは、前記第２のＣＣのリソースをスケジュールする、
［Ｃ４］に記載の方法。
［Ｃ９］
前記第１のＣＣ上の物理ダウンリンク制御チャネル（ＰＤＣＣＨ）メッセージを受信することをさらに備え、前記ＰＤＣＣＨメッセージは、前記第２のＣＣのリソースをスケジュールする、
［Ｃ１］に記載の方法。
［Ｃ１０］
前記第１のＣＣの送信時間間隔（ＴＴＩ）の持続時間は、前記第２のＣＣのＴＴＩの持続時間とは異なり、前記ＰＤＣＣＨメッセージは、前記第１のＣＣのＴＴＩ内で送信され、前記第１のＣＣの前記ＴＴＩと時間的に少なくとも部分的に重複する前記第２のＣＣのＴＴＩを割り当てる、
［Ｃ９］に記載の方法。
［Ｃ１１］
前記制御信号を受信した後に第１の確定的時間において開始する前記ＰＤＣＣＨメッセージに対する前記第１のＣＣをモニタすることと、
前記制御信号を受信した後に第２の確定的時間において開始する前記第２のＣＣをモニタすることと
をさらに備え、
前記第１の確定的時間は、前記第１のＣＣのいくつかのＴＴＩを備え、前記第２の確定的時間は、前記第２のＣＣのいくつかのＴＴＩを備える、
［Ｃ１０］に記載の方法。
［Ｃ１２］
前記第１のＣＣのＴＴＩの持続時間は、前記第２のＣＣのＴＴＩの持続時間とは異なり、前記ＰＤＣＣＨメッセージは、前記第１のＣＣのＴＴＩ内で送信され、前記第１のＣＣの後続のＴＴＩと時間的に少なくとも部分的に重複する前記第２のＣＣのＴＴＩを割り当てる、
［Ｃ９］に記載の方法。
［Ｃ１３］
前記制御信号を受信した後に第１の確定的時間において開始する前記ＰＤＣＣＨメッセージについて前記第１のＣＣをモニタすることと、
前記ＰＤＣＣＨメッセージを受信したことに応答してデータチャネルについて前記第２のＣＣをモニタすることと
をさらに備える、［Ｃ１２］に記載の方法。
［Ｃ１４］
前記制御信号は、物理チャネルを備える、
［Ｃ１］に記載の方法。
［Ｃ１５］
前記制御信号は、前記第１のＣＣの前記帯域幅のサブバンドを備える、
［Ｃ１４］に記載の方法。
［Ｃ１６］
前記物理チャネルは、前記制御信号を受信すると前記第２のＣＣをモニタするように構成されたユーザ機器（ＵＥ）に対する物理ダウンリンク制御チャネル（ＰＤＣＣＨ）フォーマットを備える、
［Ｃ１４］に記載の方法。
［Ｃ１７］
前記プライマリキャリアは、プライマリコンポーネントキャリア（ＰＣＣ）を備え、前記セカンダリキャリアは、拡張コンポーネントキャリア（ｅＣＣ）を備える、
［Ｃ１］に記載の方法。
［Ｃ１８］
ワイヤレス通信のための装置であって、
第１のコンポーネントキャリア（ＣＣ）と第２のＣＣとを備えるキャリアアグリゲーション（ＣＡ）構成を示すシグナリングを受信するための手段、ここにおいて、前記第１のＣＣは、プライマリキャリアを備え、前記第２のＣＣは、セカンダリキャリアを備える、と、
前記第２のＣＣ上のチャネル利用可能性を示す制御信号を前記第１のＣＣ上で受信するための手段と
を備える、装置。
［Ｃ１９］
前記受信された制御信号に応答して前記第２のＣＣをモニタするための手段をさらに備える、
［Ｃ１８］に記載の装置。
［Ｃ２０］
前記モニタすることに少なくとも部分的に基づいてモニタリングタイマーを始動するための手段をさらに備える、
［Ｃ１９］に記載の装置。
［Ｃ２１］
前記第２のＣＣ上でプリアンブル送信を受信するための手段と、
前記受信されたプリアンブル送信に応答して前記モニタリングタイマーを再始動するための手段と
をさらに備える、［Ｃ２０］に記載の装置。
［Ｃ２２］
プリアンブル送信が前記第２のＣＣ上で受信される前に前記モニタリングタイマーが満了したと決定するための手段と、
前記第２のＣＣを前記モニタすることを終了するための手段と
をさらに備える、［Ｃ２０］に記載の装置。
［Ｃ２３］
前記第２のＣＣ上の物理ダウンリンク制御チャネル（ＰＤＣＣＨ）メッセージまたは物理ダウンリンク共有チャネル（ＰＤＳＣＨ）メッセージを受信するための手段をさらに備え、前記ＰＤＣＣＨメッセージまたは前記ＰＤＳＣＨメッセージは、前記第２のＣＣのリソースをスケジュールする、
［Ｃ１９］に記載の装置。
［Ｃ２４］
前記第１のＣＣ上の物理ダウンリンク制御チャネル（ＰＤＣＣＨ）メッセージを受信するための手段をさらに備え、前記ＰＤＣＣＨメッセージは、前記第２のＣＣのリソースをスケジュールする、
［Ｃ１８］に記載の装置。
［Ｃ２５］
前記第１のＣＣの送信時間間隔（ＴＴＩ）の持続時間は、前記第２のＣＣのＴＴＩの持続時間とは異なり、前記ＰＤＣＣＨメッセージは、前記第１のＣＣのＴＴＩ内で送信され、前記第１のＣＣの前記ＴＴＩと時間的に少なくとも部分的に重複する前記第２のＣＣのＴＴＩを割り当てる、
［Ｃ２４］に記載の装置。
［Ｃ２６］
前記制御信号を受信した後に第１の確定的時間において開始する前記ＰＤＣＣＨメッセージについて前記第１のＣＣをモニタするための手段と、
前記制御信号を受信した後に第２の確定的時間において開始する前記第２のＣＣをモニタするための手段と
をさらに備え、
前記第１の確定的時間は、前記第１のＣＣのいくつかのＴＴＩを備え、前記第２の確定的時間は、前記第２のＣＣのいくつかのＴＴＩを備える、
［Ｃ２５］に記載の装置。
［Ｃ２７］
前記第１のＣＣのＴＴＩの持続時間は、前記第２のＣＣのＴＴＩの持続時間とは異なり、前記ＰＤＣＣＨメッセージは、前記第１のＣＣのＴＴＩ内で送信され、前記第１のＣＣの後続のＴＴＩと時間的に少なくとも部分的に重複する前記第２のＣＣのＴＴＩを割り当てる、
［Ｃ２４］に記載の装置。
［Ｃ２８］
前記制御信号を受信した後に第１の確定的時間において開始する前記ＰＤＣＣＨメッセージについて前記第１のＣＣをモニタするための手段と、
前記ＰＤＣＣＨメッセージを受信したことに応答してデータチャネルについて前記第２のＣＣをモニタするための手段と
をさらに備える、［Ｃ２７］に記載の装置。
［Ｃ２９］
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
第１のコンポーネントキャリア（ＣＣ）と第２のＣＣとを備えるキャリアアグリゲーション（ＣＡ）構成を示すシグナリングを受信すること、ここにおいて、前記第１のＣＣは、プライマリキャリアを備え、前記第２のＣＣは、セカンダリキャリアを備える、と、
前記第２のＣＣ上のチャネル利用可能性を示す制御信号を前記第１のＣＣ上で受信することと
を行わせるように動作可能である、装置。
［Ｃ３０］
ワイヤレス通信のためのコードを記憶する非一時的コンピュータ可読媒体であって、前記コードは
第１のコンポーネントキャリア（ＣＣ）と第２のＣＣとを備えるキャリアアグリゲーション（ＣＡ）構成を示すシグナリングを受信すること、ここにおいて、前記第１のＣＣは、プライマリキャリアを備え、前記第２のＣＣは、セカンダリキャリアを備える、と、
前記第２のＣＣ上のチャネル利用可能性を示す制御信号を前記第１のＣＣ上で受信することと
を行うように実行可能な命令を備える、非一時的コンピュータ可読媒体。